(57)【要約】【課題】  各種材料および製品等の色が所定の色と同じか否かを正確に且つ能率よく検査することのできる検査器の提供。【解決手段】  手持ち可能な検査器本体１に反射型光電センサ２と該センサ用のアンプユニット３とが取付けてあり、アンプユニットは表示部４ａを備え、検査対象物５の色と予め設定した所定の色との近似の程度を示す値が表示部４ａに表示されるようにした。【選択図】      図１
0003131242.tif 000002
【実用新案登録請求の範囲】
【請求項１】
手持ち可能な検査器本体（１）に反射型光電センサ（２）と該センサ用のアンプユニット（３）とが取付けてあり、アンプユニットは表示部（４ａ）を備え、検査対象物（５）の色と予め設定した所定の色との近似の程度を示す値が表示部（４ａ）に表示されるようにしたことを特徴とする各種材料および製品等の色検査器。
【請求項２】
検査器本体（１）は、不透明な樹脂製の４つの板材（６ａ，６ｂ，６ｃ，６ｄ）を四方から接合して筒状に形成してあり、その中空部（８）内に反射型光電センサ（２）を配置してあることを特徴とする請求項１記載の各種材料および製品等の色検査器。
【考案の詳細な説明】
【技術分野】
【０００１】
本考案は、各種材料および製品等の色が所定の色と同じか否か検査する検査器に関する。
【背景技術】
【０００２】
例えば、アルミサッシ等に用いられるアルミ形材は、表面を塗装して茶色、灰色、黒色、白色等に着色することがある。これまで、アルミ形材の色がメーカー指定の所定の色と同じか否かの検査は、作業者が色見本と実際のアルミ形材の色を目で見比べて行っていた。そのように人が目で色を見比べて判断するのでは、互いの色が同じか否かの判断基準が明確ではなく、作業者によって判断基準が異なることもある。また、微妙な色の違いを検出しなければならないこともあり、検査に時間が掛かっている。
【考案の開示】
【考案が解決しようとする課題】
【０００３】
本考案は以上に述べた実情に鑑み、各種材料および製品等の色が所定の色と同じか否かを正確に且つ能率よく検査することのできる検査器の提供を目的とする。
【課題を解決するための手段】
【０００４】
上記の課題を達成するために請求項１記載の考案による各種材料および製品等の色検査器は、手持ち可能な検査器本体に反射型光電センサと該センサ用のアンプユニットとが取付けてあり、アンプユニットは表示部を備え、検査対象物の色と予め設定した所定の色との近似の程度を示す値が表示部に表示されるようにしたことを特徴とする。
【０００５】
請求項２記載の考案による各種材料および製品等の色検査器は、請求項１記載の考案の構成に加え、検査器本体は、不透明な樹脂製の４つの板材を四方から接合して筒状に形成してあり、その中空部内に反射型光電センサを配置してあることを特徴とする。板材には、断面が正方形のものも含まれる。
【考案の効果】
【０００６】
請求項１記載の考案による各種材料および製品等の色検査器は、手持ち可能な検査器本体に反射型光電センサと該センサ用のアンプユニットとが取付けてあり、検査器本体を検査対象物に当てて検査を行うと、検査対象物の色と予め設定した色との近似の程度を示す値が表示部に表示されるため、作業者は表示部に表示された値を読み取ることにより、検査対象物の色が所定の色と同じかどうかを正確に且つ瞬時に知ることができる。
【０００７】
さらに、請求項２記載の考案による各種材料および製品等の色検査器は、検査器本体は不透明な樹脂製の４つの板材を四方から接合して筒状に形成してあり、その中空部内に反射型光電センサを配置するようにしたので、検査器本体を安価に製作でき、且つ検査器が軽量化され取扱が容易であるとともに、反射型光電センサの周りが不透明な樹脂製の板材により囲まれるため、外光の影響を受けずに同一条件での検査が可能である。
【考案を実施するための最良の形態】
【０００８】
以下、本考案の実施の形態を図面に基づいて説明する。図１（ａ）は、本考案に係る各種材料および製品等の色検査器（以下、単に色検査器という）の正面図であり、図１（ｂ）は（ａ）のＡ−Ａ断面図である。本色検査器は、主としてサッシ等に用いられる塗装がされたアルミ形材の色が所定の色と同じか否か検査するために用いられるもので、図に示すように、上下に長い四角い棒状の検査器本体１に、反射型光電センサ２と、該センサ用のアンプユニット３とが取付けてある。
【０００９】
検査器本体１は、４つの不透明な樹脂（ＭＣナイロン）製の帯状の板材６ａ，６ｂ，６ｃ，６ｄを四方から接合し、ネジ７で固定して組み立ててある。前側に配置される板材６ａは他の板材６ｂ，６ｃ，６ｄよりも短くなっており、検査器本体１の略下半分は中空部８を有する筒状となっており、検査器本体１の略上半分は前方が開放したコ字形断面の溝状に形成されている。検査器本体１は、上下寸法が２２０ｍｍ、左右寸法が５０ｍｍ、前後寸法が３５ｍｍとなっている。反射型光電センサ２は、検査器本体１の中空部８内に配置され、後側の板材６ｂにネジ９で取付けてある。アンプユニット３は、検査器本体１の上部の溝内に配置され、後側の板材６ｂにネジ止めしたレール１０に係合して取付けてある。反射型光電センサ２は、株式会社キーエンス製のＣＺ−Ｈ３２を使用しており、アンプユニット３は、株式会社キーエンス製のＣＺ−Ｖ２１Ａを使用している。
【００１０】
反射型光電センサ２は、図１（ａ）に示すように、検査対象のアルミ形材５に光１１ａを投射する投光部１２と、アルミ形材５で反射した光１１ｂを受光する受光部１３とを有している。投光部１２は、赤、青、緑の波長の異なる３種類の光をアンプユニット３からの指令に基づいてアルミ形材５に向けて順次投射する。受光部１３は、受光した反射光１１ｂの強さに応じた信号をアンプユニット３に出力する。反射型光電センサ２には、アンプユニット３に内蔵されたＬＥＤを使用した光源の光を投光部１２に伝達する光ファイバーケーブル１４と、アンプユニット３との間で信号のやり取りをするための電線ケーブル１５が接続されている。
【００１１】
アンプユニット３は、図１（ａ）に示すように、前面に表示部４ａ，４ｂと、検出ランプ１６と、操作部１７とを有している。表示部４ａ，４ｂは、上下２段に構成されており、上段の表示部４ａには、後述するティーチング処理により設定した所定の色と検査対象のアルミ形材５の色との近似の程度を示す一致度値がリアルタイムでデジタル表示され、下段の表示部４ｂには所定の色とアルミ形材５の色とが同じであると判断する限界を定める一致度値の許容値がデジタル表示される。なお一致度値は、赤、青、緑の３色の光の受光量の総和に対する各色の受光量の比率から生成される色情報に基づいて算出されるものである。検出ランプ１６は、一致度値が許容値以上の場合に点灯するようになっており、検出ランプ１６が点灯すればアルミ形材５の色が所定の色と同じであると判断できる。検出ランプ１６は全部で４つ設けてあり、所定の色として４種類の色を登録できる。操作部１７は、ティーチング処理の開始や、モード設定、許容値の補正、検査の開始を行うための複数のボタンで構成されている。アンプユニット３の内部には、反射型光電センサ２とアンプユニット３の表示部４ａ，４ｂ等を動作するために必要な制御回路、演算回路、記憶装置等が全て内蔵されている。アンプユニット３からのびるコード１８は、電装ボックスを介してコンセントに接続されている。
【００１２】
次に、本色検査器の使用方法を説明する。アルミ形材５の色検査を行うにあたり、予めティーチング処理を行う。ティーチング処理は、所定の色の色見本等に本色検査器の下面を突き当て、操作部１７のティーチング処理開始ボタンを押すと、投光部１２から赤、青、緑の光が順次投射され、アンプユニット３は各色の受光量の比率に基づく色情報を生成するとともに、一致度値の許容値を設定して表示部４ｂに表示する。必要に応じて操作部１７のボタン操作により許容値を補正することができる。
その後、図１（ｂ）に示すように、検査器本体１を手で掴んでその下面を検査対象のアルミ形材５の表面に突き当て、操作部１７の検査開始ボタンを押す。すると、投光部１２から赤、青、緑の光が順次投射され、アンプユニット３は各色の受光量の比率に基づく色情報を生成するとともに、ティーチング処理で設定した所定の色との一致度値を表示部４ａにリアルタイムで表示する。さらに、一致度値が許容値以上の場合には検出ランプ１６が点灯する。
【００１３】
本色検査器は以上のように構成され、作業者は表示部４ａに表示された一致度値を読み取ることで、アルミ形材５の色が所定の色と同じか否か正確に且つ迅速に把握できる。さらに本色検査器は、検出ランプ１６が点灯するか否かにより、表示部４ａの値を読み取るまでもなく、色の良否を瞬時に判断することができる。検査器本体１は、ＭＣナイロン製の４本の板材６ａ，６ｂ，６ｃ，６ｄから形成したので、複雑な加工や金型が不要で、極めて安価に製作することができ、しかも軽量なので取り扱いが容易である。さらに、反射型光電センサ２の周りをＭＣナイロン製の板材６ａ，６ｂ，６ｃ，６ｄで囲ってあるため、外光の影響を受けずに同一条件での検査が可能である。以上に述べたように、本色検査器によれば、アルミ形材の色検査の精度と能率を飛躍的に向上することができ、アルミ形材の品質の向上、生産性の向上に大いに貢献するものである。
【００１４】
本考案は、以上に述べた実施形態に限定されない。検査器本体の構成は任意である。反射型光電センサとアンプユニットは、必要な機能を有するものを適宜選択して用いることができる。本考案の色検査器は、アルミ形材に限らず、塗装および被膜により着色された各種材料および製品等の色検査に広く用いることができる。
【図面の簡単な説明】
【００１５】
【図１】（ａ）は本考案に係る各種材料および製品等の色検査器の正面図であり、（ｂ）は（ａ）のＡ−Ａ断面図である。
【符号の説明】
【００１６】
１  検査器本体
２  反射型光電センサ
３  アンプユニット
４ａ，４ｂ  表示部
５  アルミ形材（検査対象物）
６ａ，６ｂ，６ｃ，６ｄ  板材
８  中空部
【図１】
0003131242.tif 000003